(57)【要約】【課題】ＢＤなどでは著作権保護のための暗号化情報が更新された際には、不具合のある暗号化情報の版数を市販メディアのコンテンツ記録領域以外の領域に格納し、ユーザに対して新しい版数のものに更新するように促している。しかし装置に搭載された暗号化情報の版数を知らないと、ユーザは的確な対応をとれない。【解決手段】使用する装置の暗号化情報の版数を、ユーザが外部からのコマンドで容易に確認できるようにする。これが不具合のある版数の場合には再生を行わず、必要に応じて暗号化情報の更新を促す表示をする。【選択図】図１
2010009717.tif 000002
【特許請求の範囲】
【請求項１】
映像音声を含む暗号化記録コンテンツを記録した光ディスク記録媒体から、該コンテンツを再生する装置における暗号化情報の版数確認方法であって、
該暗号化情報の版数をメモリへ格納する格納ステップと、
前記メモリに格納された暗号化情報の版数を、装置の外部からのコマンドに応じて前記メモリから読取る読取りステップと、
読取った前記版数をユーザに通知する通知ステップと
を有したことを特徴とする暗号化情報の版数確認方法。
【請求項２】
請求項１に記載の暗号化情報の版数確認方法であって、
前記記録媒体が前記装置に装着された際に、不具合のある暗号化情報の版数を前記記録媒体から読取る第２の読取りステップと、
前記記録媒体から前記暗号化記録コンテンツを再生し、暗号を復号化する再生復号化ステップと、
前記不具合のある暗号化情報の版数と、前記メモリに格納された前記版数とを比較する比較ステップと、
前記比較ステップでの比較結果に基づき、前記再生復号化ステップの動作の可否を決める制御ステップと
を有したことを特徴とする暗号化情報の版数確認方法。
【請求項３】
映像音声を含む暗号化記録コンテンツを記録した光ディスク記録媒体から、該コンテンツを再生する光ディスク再生装置であって、
前記記録媒体から前記暗号化記録コンテンツを再生し、暗号化情報を用いて暗号を復号化する再生復号化部と、
前記暗号化情報の版数を格納する格納部と、
前記記録媒体から、再生時の暗号復号化をするうえで不具合のある暗号化情報の版数情報を再生する版数情報再生部と、
前記版数情報再生部の出力である暗号化情報の版数と、前記格納部に格納された前記版数とを比較して、前記再生復号化部の動作の可否を決める制御部と、
前記格納部に格納された前記版数を表示するための表示作成部と
を有したことを特徴とする光ディスク再生装置。
【発明の詳細な説明】
【技術分野】
【０００１】
本発明は、著作権保護のために暗号化して記録した情報を再生する方法および装置に係わり、特にその暗号化情報の版数の管理を容易にする方法に関する。
【背景技術】
【０００２】
ＤＶＤ（Digital Versatile Disc）、ＢＤ（Blu-ray Disc）をはじめとする光メディアを用いたディジタル記録方式の記録再生装置においては、再生画像の品質が高いうえに複製による品質の劣化がごく少ないために、著作権保護のための方策が必要である。著作権保護を要するコンテンツを、特定の再生装置やユーザ以外では再生できないようにするために、暗号化記録が行われている。
【０００３】
暗号化記録する時は暗号化されたコンテンツ情報のみならず、その暗号化鍵情報などを記録媒体のいずれかの領域に記録する必要がある。また著作権保護のための暗号化情報は技術の進歩に対応し、またハッキングなどにより市場で明らかになった不具合を対策するために、内容が更新されることがある。
【０００４】
特許文献１では暗号化鍵情報が更新された場合に、記録媒体上の暗号鍵を更新するための記録方法などが開示されている。
【０００５】
特許文献２では複数の著作権保護情報を、記録媒体上のコンテンツ情報記録部分以外の領域に格納する記録再生装置などが開示されている。
【０００６】
【特許文献１】特開２００７−３３４９３９号公報
【特許文献２】特開２００８−０３４００２号公報
【発明の開示】
【発明が解決しようとする課題】
【０００７】
前記した著作権保護のための暗号化情報が更新された際には、ＢＤなどでは不具合のある暗号化情報を、その時点で製造する市販メディアのコンテンツ記録領域以外の領域に格納している。再生装置に装着した際にこれを読出し、使用する装置の搭載する暗号化技術の識別符号がこれに該当する場合、暗号化技術の識別符号を更新するまでは、市販メディアの再生を行わないようにしている。新しい市販メディアほど、不具合のある暗号化情報の版数が大きくなる方向になる。このため、古い市販メディアを再生しようとする際に、新しい市販メディアを装着したことのある装置では再生できず、反対に新しい市販メディアを装着したことのない装置では再生できるといった状況が生まれる。
【０００８】
しかし、このように再生動作が機能しない現象には、暗号化情報の版数のほかにも多くの原因が考えられる。このため仮に暗号化情報の版数に原因があったとしても、それと特定するのは困難なことが多く、ユーザは的確な対応をとれないという問題がある。
【０００９】
本発明の目的は前記した問題を解決するため、再生動作が機能しない原因を容易に特定できるようにして、使い勝手を向上する方法を提供することにある。
【課題を解決するための手段】
【００１０】
上記目的を達成するため本発明は、映像音声を含む暗号化記録コンテンツを記録した光ディスク記録媒体から、該コンテンツを再生する装置における暗号化情報の版数確認方法であって、該暗号化情報の版数をメモリへ格納する格納ステップと、前記メモリに格納された暗号化情報の版数を、装置の外部からのコマンドに応じて前記メモリから読取る読取りステップと、読取った前記版数をユーザに通知する通知ステップとを有したことを特徴としている。
【００１１】
また、映像音声を含む暗号化記録コンテンツを記録した光ディスク記録媒体から、該コンテンツを再生する光ディスク再生装置であって、前記記録媒体から前記暗号化記録コンテンツを再生し、暗号化情報を用いて暗号を復号化する再生復号化部と、前記暗号化情報の版数を格納する格納部と、前記記録媒体から、再生時の暗号復号化をするうえで不具合のある暗号化情報の版数情報を再生する版数情報再生部と、前記版数情報再生部の出力である暗号化情報の版数と前記格納部に格納された前記版数とを比較して、前記再生復号化部の動作の可否を決める制御部と、前記格納部に格納された前記版数を表示するための表示作成部とを有したことを特徴としている。
【発明の効果】
【００１２】
本発明によれば、使用する装置の暗号化情報の版数をユーザが知ることができ、暗号化情報の版数に原因があって再生動作が機能しない場合に、原因を特定することを容易にし、使い勝手を向上できる効果がある。
【発明を実施するための最良の形態】
【００１３】
以下、本発明の実施形態について図面を用いながら説明する。
図１は本発明の実施例を示す記録再生装置の回路ブロック図である。
まず記録側の動作から述べる。入力端子１００ａからは記録するコンテンツの映像信号（Ｖ）のデータが、入力端子１００ｂからは同じく音声信号（Ａ）のデータが入力される。これらはＡＶエンコード回路１０１でＭＰＥＧ２（Moving Picture Experts Group 2）、ＡＣ−３（Audio Code Number 3）などを用いてデータ量を圧縮され、時分割多重された後、コンテンツ暗号化部１０２で暗号化鍵を用いて暗号化され、ＥＣＣ（Error Correction Code）回路１０３で記録再生過程におけるデータの誤りを訂正するための誤り訂正符号が付加され、ＭＯＤ（Modulator）回路１０４でたとえば８−１６変調などにより記録に適した符号に変換され、ＲＥＣ（Record）回路１０５で電力増幅されてから、光ディスク３００のコンテンツ記録領域へ記録される。また前記ＥＣＣ回路１０３には、後記するような暗号化鍵の情報も入力されており、これも前記コンテンツ記録領域へ記録される。
【００１４】
次にコンテンツ暗号化部１０２の動作と、ＥＣＣ回路１０３へ入力される暗号化鍵の情報について述べる。
コンテンツ暗号化部１０２では、タイトル鍵発生部１０６で発生されるタイトル鍵Ｋｔを用いて、ＡＶエンコード回路１０１の出力であるコンテンツ情報を、たとえばスクランブル演算処理をするなどして暗号化する。タイトル鍵発生部１０６でのタイトル鍵の発生方法については、一例として前記映像データと音声データを有するタイトルの記録が指示された際に乱数を発生させ、これをタイトル鍵とする方法がある。
【００１５】
暗号化に用いたタイトル鍵Ｋｔは、後記する情報の再生時に暗号を復号するために記録媒体上へ記録する必要があるが、簡単に知られないようタイトル鍵暗号化部１０７で暗号化してから、ＥＣＣ回路１０３などを介して光ディスク３００のコンテンツ記録領域へ記録するようにしている。その一例を次に説明する。
【００１６】
タイトル鍵暗号化部１０７には、タイトル暗号化鍵Ｋｕｉｄが供給されている。タイトル暗号化鍵Ｋｕｉｄは、ディスクのコンテンツ記録領域以外の領域に記録され読み出されたＭＫＢ（Media Key Block）、ＭＩＤＢ（Media Identification Block）、暗号化メディアＩＤ（Identification）Ｋｅｉｄをもとに生成される。ＭＫＢは著作権所有者が発行するメディア鍵Ｋｍを、デバイス鍵Ｋｄに基づき演算処理して生成したものである。ＭＩＤＢは著作権所有者が与えるメディア固有鍵Ｋｕｍを、図示しない複数のメディアＩＤに基づき演算処理して生成したものである。Ｋｅｉｄは、メディアＩＤをメディア鍵Ｋｍで暗号化して生成したものである。そしてＫｅｉｄをＭＫＢ／ＭＩＤＢ処理部３０１でＭＫＢ，ＭＩＤＢと演算することで、タイトル暗号化鍵Ｋｕｉｄを生成する。
【００１７】
タイトル鍵暗号化部１０７ではさきのタイトル鍵Ｋｔを、タイトル暗号化鍵Ｋｕｉｄを用いて暗号化する。このため暗号化後のタイトル鍵Ｋｅｔは、著作権所有者の与えた鍵、デバイス鍵などを用いた複合化した暗号化プロセスを経て生成されており、元のタイトル鍵Ｋｔを簡単に知ることはできない。
【００１８】
図２は光ディスク３００の平面図である。周知のとおり中央には中心孔３００ａが開いており、その周辺にはドライブの定位置に固定するためのクランプ領域３００ｂがある。その外側には前記したＭＫＢ，ＭＩＤＢ，Ｋｅｉｄなど暗号化鍵情報などを記録する、暗号化情報記録領域３００ｃがある。ここには前記した不具合のある暗号化情報の版数も記録されている。その外側には記録したコンテンツ情報の配置などを記録する、リードイン領域３００ｄがある。さらにその外側には最外周部近くまで、暗号化コンテンツ記録領域３００ｅが拡がっている。
【００１９】
次に図１に戻り、再生側の動作を述べる。光ディスク３００のコンテンツ記録領域から再生された情報は、ＰＢ（Play Back）回路２０１で増幅かつ振幅と位相が等化され、ＤＥＭＯＤ（Demodulator）回路２０２で記録時のたとえば８−１６変調などが復調され、ＥＣＣ回路２０３で記録再生に伴うデータの誤りが訂正され、コンテンツ暗号復号化部２０４でタイトル鍵Ｋｔを用いて暗号を復号され、ＡＶデコード回路２０５で記録時のデータ圧縮を解除するよう伸張するなどして、元の映像信号と音声信号のデータが出力端子２０６ａ，２０６ｂに出力される。
【００２０】
ＥＣＣ回路２０３からはさきの暗号化後のタイトル鍵Ｋｅｔも出力され、タイトル鍵復号化部２０７へ与えられる。ＭＫＢ／ＭＩＤＢ処理部３０１では、光ディスクの暗号化情報記録領域３００ｃから再生されたＭＫＢ，ＭＩＤＢ，Ｋｅｉｄを用いて演算処理して、さきのタイトル暗号化鍵Ｋｕｉｄを得る。このため、タイトル鍵復号化部２０７ではタイトル鍵の暗号化も復号され、元のタイトル鍵Ｋｔを得る。このため前記したコンテンツ暗号復号化部２０４での復号化を行うことができる。
【００２１】
なお図１における信号処理のプロセスは、ソフトウェアによるものが多くなっている。特に暗号化と復号化に関わる図中の破線で囲った部分は、アプリケーションソフトで行う場合が多く、ドライブ側との認証を交わしたうえで動作をしている。
【００２２】
次に、本実施例における著作権保護のための暗号化情報の更新に対する対応方法につき説明する。著作権保護のための暗号化情報は暗号化の鍵の情報のみならず、タイトル鍵暗号化部１０７、その復号化部２０７での演算処理方法など様々な情報がある。技術の進歩や前記した市場での不具合の対策を反映して、新しい版数のものが供給されることは周知のとおりである。
【００２３】
たとえば映画ソフトなどを記録した市販メディアにおいては、さきの光ディスク３００の暗号化情報記録領域３００ｃに、不具合のある再生アプリケーションの識別符号情報を記録しておき、必要に応じて新しい版数の再生アプリケーションに更新するようユーザに促すことを可能にしている。このデータの構造は様々なものが考えられるが、たとえば図３（ａ）のように一つのヘッダ３１０に、不具合のある暗号化情報の版数情報３１１を付しても良く、また図３（ｂ）のようにヘッダ３１０に不具合のある暗号化情報の版数情報３１１とさきの暗号化鍵情報３１２の双方を付すなどしても良い。
【００２４】
これに関して再び図１に戻って、本発明の実施例を説明する。
たとえば光ディスク３００が記録再生装置に装着された際に、その暗号化情報記録領域３００ｃに記録されていた不具合のある暗号化情報の版数情報３１１は、版数情報再生部でもあるＭＫＢ／ＭＩＤＢ処理部３０１を介して制御ＣＰＵ４００に供給され、それと接続されたメモリ４０１に格納される。次に制御ＣＰＵ４００は、図中の破線で囲った再生アプリケーションソフト部に対して認証を行う。この際、アプリケーションソフト側に登録されている装置の暗号化情報の識別符号を読み出し、たとえばメモリ４０１に格納し、さきにメモリ４０１に格納した不具合のある暗号化情報の識別符号であるかを確認する。既に最新の識別符号のものへ更新済であれば、再生を許可し暗号の復号化動作へ入れるようにする。
【００２５】
更新済でなければ、制御ＣＰＵ４００は再生を許可することをせず、表示作成部４０３に指示して、再生できない旨をユーザに通知するための表示を作成させる。表示作成部４０３はその結果を出力端子４０４へ出力する。このため出力端子４０４に接続された、図示しない外部のテレビジョンや装置に取付けられた液晶パネルなどには、再生できない旨の表示を出すことができる。
【００２６】
前記したように新しい市販メディアほど、暗号化情報記録領域３００ｃに記録される不具合のある暗号化情報の版数が大きくなる方向になる。このため、古い市販メディアを再生しようとする際に、新しい市販メディアを装着したことのある装置では再生できず、反対に新しい市販メディアを装着したことのない装置では再生できるといった状況が生まれる。しかし、このように再生動作が機能しない現象には、暗号化情報の版数のほかにも多くの原因が考えられる。このため仮に暗号化情報の版数に原因があったとしても、それと特定するのは困難なことが多く、ユーザは的確な対応をとれないという問題がある。原因が分からずに、再生できないままとなる不便がある。
【００２７】
このため本実施例では、たとえば入力端子４０２よりユーザからの版数チェックのコマンドを入力するようにしている。このコマンドに応えて制御ＣＰＵ４００は、たとえばメモリ４０１に格納された装置の暗号化情報の版数を読み出し、表示作成部４０３に出力する。表示作成部４０３では現在装置に搭載されている暗号化情報の版数はもちろん、更新を促すメッセージを作成しても良く、また必要に応じて、不具合のある暗号化情報の版数の表示を作成しても良い。これにより再生ができない原因と、装置の暗号化情報を更新する必要性などをユーザに分かり易い方法で知らせることができる。
【００２８】
この入力端子４０２からの版数チェックのコマンドは、ユーザにとって任意の時に入力できる。光ディスクの装着時や再生開始時などに限らず、いつでも版数の情報を得ることができる。版数が知れない場合に比べて、使い勝手を大幅に向上することができる。
【００２９】
図４は、図１の出力端子４０４に接続された表示装置４０５の、表示パネル４０５ａにおける表示例を示す。図示したとおり、現在装置に搭載されている暗号化情報の版数を表示できる。また新しい版数への更新を促すメッセージなどを表示するなど、多くの変形例が考えられる。
【００３０】
次に図５から図７を用いて前記した動作のフローを説明する。図５は本発明の実施例を示す動作フロー図である。Ｓは各動作ステップを示す。Ｓ５０１で動作フローを開始する。Ｓ５０２でユーザの指示により、装置に搭載している暗号化情報の版数を調査するコマンドが、ホストからドライブに向けて出される。Ｓ５０３でこの版数を格納したメモリへアクセスして読取り、Ｓ５０４で読取った暗号化情報の版数をホストへ知らせ、表示作成するなどして、Ｓ５０５でフローを終了する。
【００３１】
図６は、さきに説明した不具合のある暗号化情報の版数を用いた動作の一例を示す。Ｓ５０１で動作フローを開始する。Ｓ５０６で光ディスクが装着（ローディング）されたかを調べる。ｎｏであれば繰り返しで調べる。ｙｅｓであればＳ５０７で不具合のある暗号化情報の版数の読取コマンドが発せられる。Ｓ５０８で装着された記録媒体（光ディスク）の暗号化情報記録領域から版数を読取り、Ｓ５０９で読取った不具合のある暗号化情報の版数をメモリへ格納する。Ｓ５１０で装置に搭載されている暗号化情報の版数を調査する。Ｓ５１１でこれが不具合のある暗号化情報であるかを判断する。ｙｅｓであれば再生コマンドの有無に関わりなく、Ｓ５１１でフローを終了する。ｎｏであれば装置に搭載されていたもので問題ないため、Ｓ５１２で再生コマンドが発せられたかを調べる。ｎｏであれば繰り返しで調べる。ｙｅｓであればＳ５１３で再生動作を開始し、Ｓ５０５でフローを終了する。
【００３２】
図７は、不具合のある暗号化情報の版数を用いた動作の別な例を示す。図６と異なる点はＳ５１２の再生コマンドの有無をチェックするステップが、不具合のある暗号化情報であるかを判断するステップＳ５１１よりも前にあることである。このため、不具合のある暗号化情報の版数は図６と同様に光ディスクの装着時に調べるが、装置に搭載されている暗号化情報の版数は再生コマンドが入力された際に調べるようにしている。
【００３３】
以上述べたように本発明においては、暗号化鍵や暗号化のための演算方法などの暗号化情報そのものを開示せずに、版数のみを開示するようにしているため、暗号化情報自体の機密性はこれまでどおり守ることができる。
【００３４】
なお図１の説明において、光ディスク３００の暗号化情報記録領域に記録されていたＭＫＢなどの情報を、ＭＫＢ／ＭＩＤＢ処理回路３０１へ与える過程には特に構成要素を示さなかったが、これは図面の簡略化のためであり、実際にはＰＢ回路２０１、ＤＥＭＯＤ回路２０２、ＥＣＣ回路２０３に相当するものが介在して良い。
【００３５】
また、本発明は記録再生装置のみならず、記録機能を欠いた再生専用の装置にも適用可能であり本発明の範疇にある。
【図面の簡単な説明】
【００３６】
【図１】本発明の一実施例を示す記録再生装置のブロック図である。
【図２】光ディスク３００の平面図である。
【図３】本発明で用いる版数データの構造例を示す図である。
【図４】表示装置４０５における表示例を示す正面図である。
【図５】本発明の一実施例の動作を示す動作フロー図である。
【図６】本発明の一実施例の動作を示す動作フロー図である。
【図７】本発明の一実施例の動作を示す動作フロー図である。
【符号の説明】
【００３７】
１０１・・・ＡＶエンコード回路
１０２・・・コンテンツ暗号化部
１０６・・・タイトル鍵発生部
１０７・・・タイトル鍵暗号化部
２０４・・・コンテンツ暗号復号化部
２０５・・・ＡＶデコード回路
２０７・・・タイトル鍵復号化部
３００・・・光ディスク
３０１・・・ＭＫＢ／ＭＩＤＢ処理部
３１１・・・不具合のある暗号化情報の版数情報
３１２・・・暗号化鍵情報
４００・・・制御ＣＰＵ
４０１・・・メモリ
４０３・・・表示作成部。
【図１】
2010009717.tif 000003
【図２】
2010009717.tif 000004
【図３】
2010009717.tif 000005
【図４】
2010009717.tif 000006
【図５】
2010009717.tif 000007
【図６】
2010009717.tif 000008
【図７】
2010009717.tif 000009